(57)【特許請求の範囲】
【請求項１】
プリアンブル信号を用いてパケット通信におけるシンボルの開始タイミングを推定するシンボルタイミング推定装置であって、
入力されるプリアンブル信号と既知のプリアンブル信号との相関値を出力するマッチドフィルタと、
前記マッチドフィルタから出力される相関値を順次同期加算する同期加算器と、
前記マッチドフィルタから出力される前記相関値と前記同期加算器で算出される値とを乗算する乗算器と、
前記乗算器で算出される値のピーク値が所定値よりも小さくなるときを前記シンボルの開始タイミングとするシンボル開始検出器と、
を備え、
前記同期加算器は、忘却係数を用いて過去の相関値に対する重みが小さくなるように同期加算することを特徴とするシンボルタイミング推定装置。
【請求項２】
請求項1に記載のシンボルタイミング推定装置であって、
前記同期加算器は、
加算器と、
前記加算器から出力される値を一定周期遅延させるレジスタと、
前記レジスタで遅延された値に前記忘却係数を乗算する忘却係数乗算器と、
を備え、
前記加算器は、前記マッチドフィルタから出力される相関値と前記忘却係数乗算器で算出される値とを加算することを特徴とするシンボルタイミング推定装置。
【請求項３】
プリアンブル信号を用いてパケット通信におけるシンボルの開始タイミングを推定するシンボルタイミング推定装置であって、
入力されるプリアンブル信号と既知のプリアンブル信号との相関値を出力するマッチドフィルタと、
前記マッチドフィルタから出力される相関値を順次同期加算する同期加算器と、
前記マッチドフィルタから出力される前記相関値と前記同期加算器で算出される値とを乗算する乗算器と、
前記乗算器で算出される値のピーク値が所定値よりも小さくなるときを前記シンボルの開始タイミングとするシンボル開始検出器と、
を備えることを特徴とするシンボルタイミング推定装置。
【請求項４】
プリアンブル信号を用いてパケット通信におけるシンボルの開始タイミングを推定するシンボルタイミング推定装置であって、
入力されるプリアンブル信号と既知のプリアンブル信号との相関値を出力するマッチドフィルタと、
前記マッチドフィルタから出力される相関値を順次同期加算する同期加算器と、
前記マッチドフィルタから出力される前記相関値と前記同期加算器で算出される値とを乗算する乗算器と、
前記乗算器で算出される値のピーク値が所定時間前のピーク値より小さくなるときを前記シンボルの開始タイミングとするシンボル開始検出器と、
を備え、
前記同期加算器は、忘却係数を用いて過去の相関値に対する重みが小さくなるように同期加算することを特徴とするシンボルタイミング推定装置。
【請求項５】
プリアンブル信号を用いてパケット通信におけるシンボルの開始タイミングを推定するシンボルタイミング推定装置であって、
入力されるプリアンブル信号と既知のプリアンブル信号との相関値を出力するマッチドフィルタと、
前記マッチドフィルタから出力される相関値を順次同期加算する同期加算器と、
前記マッチドフィルタから出力される前記相関値と前記同期加算器で算出される値とを乗算する乗算器と、
前記乗算器で算出される値のピーク値が所定時間前のピーク値より小さくなるときを前記シンボルの開始タイミングとするシンボル開始検出器と、
を備えることを特徴とするシンボルタイミング推定装置。
【発明の詳細な説明】
【技術分野】
【０００１】
本発明は、プリアンブル信号を用いてパケット通信におけるシンボルの開始タイミングを推定するシンボルタイミング推定装置に関する。
【背景技術】
【０００２】
一般に、パケット通信方式では、パケット毎に同期をとる必要があるため、各パケットの先頭にプリアンブル信号と呼ばれる同期確立用の信号が備えられている。そして、従来より、このプリアンブル信号を用いて、プリアンブル信号の後に続く、例えば、画像、音声、または文章などのデータ（以下、シンボルという）が始まる位置（シンボルの読み込みが開始されるタイミング）を推定するシンボルタイミング推定装置において様々な構成が考えられている。
【０００３】
図４（ａ）は、既存のシンボルタイミング推定装置の一例を模式的に示す図である。
図４（ａ）に示すシンボルタイミング推定装置４０は、入力されるプリアンブル信号と既知のプリアンブル信号とを乗算し、その入力されるプリアンブル信号と既知のプリアンブル信号との相関値を出力するマッチドフィルタ４１と、マッチドフィルタ４１から出力される相関値に基づいてシンボルが開始されるタイミングを検出し、その旨のタイミング信号を出力するシンボル開始検出器４２とを備えて構成される。
【０００４】
図４（ｂ）は、マッチドフィルタ４１の出力信号を、図４（ｃ）は、シンボル開始検出器４２の出力信号を示す図である。なお、図４（ｂ）及び（ｃ）のそれぞれのグラフの横軸は時間を、縦軸は出力信号の振幅値を示す。
図４（ｂ）及び（ｃ）に示すように、シンボル開始検出器４２は、マッチドフィルタ４１から最後の相関値のピーク値（以下、相関ピークという）が出力されてから、ある一定周期後（例えば、ＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）では、あるショートシンボルが検出されてから次のショートシンボルが検出されるまでの1周期０．８μｓ）に次の相関ピークが検出されないと、そのときの時刻をシンボルの開始タイミングとし、その旨の信号を出力する。
【０００５】
このシンボルタイミング推定装置４０は、マッチドフィルタ４１及びシンボル開始検出器４２で構成されるように、比較的少ない構成で実現することができるため、回路規模を小さくすることができる特徴がある。
しかしながら、このシンボルタイミング推定装置４０は、フェ−ジング、雑音、またはＡＧＣ（Ａｕｔｏｍａｔｉｃ Ｇａｉｎ Ｃｏｎｔｒｏｌ）回路などの影響によりプリアンブル信号が歪むと、マッチドフィルタ４１から出力される相関値のピーク値も歪み、シンボルの開始タイミングの検出ミスが発生するおそれがある。
【０００６】
そこで、フェ−ジング、雑音、またはＡＧＣ回路などで生じる信号歪みの影響によるシンボルの開始タイミングの検出ミスを抑えるために、例えば、マッチドフィルタ４１から出力される相関値を順次同期加算することで相関ピークを際立たせる方式などが考えられる。（例えば、非特許文献１参照）
図５（ａ）は、同期加算器を備える既存のシンボルタイミング推定装置の一例を模式的に示す図である。なお、図４（ａ）と同一の構成については同一の符号をつける。
【０００７】
図５（ａ）に示すシンボルタイミング推定装置５０は、マッチドフィルタ４１（例えば、非特許文献１のマッチトフィルタに相当）と、マッチドフィルタ４１から出力される相関ピークを順次同期加算する同期加算器５１（例えば、非特許文献１の同期加算に相当）と、入力されるプリアンブル信号とそのプリアンブル信号が一定周期遅延された信号とを乗算し、それらの信号の相関値を算出する自己相関器５２（例えば、非特許文献１の自己相関電力算出に相当）と、自己相関器５２で算出される相関値と閾値とを比較し、その比較結果と同期加算器５１で算出される値のピーク値とに基づいてシンボルの開始タイミングを検出し、その旨のタイミング信号を出力するシンボル開始検出器５３（例えば、非特許文献１のシンボルスタート検出部に相当）とを備えて構成される。
【０００８】
図５（ｂ）は、同期加算器５１の出力信号を、図５（ｃ）は、自己相関器５２の出力信号を、図５（ｄ）は、シンボル開始検出器５３の出力信号を示す図である。なお、図５（ｂ）〜（ｄ）のそれぞれのグラフの横軸は時間を、縦軸は出力信号の振幅値を示す。
図５（ｂ）〜（ｄ）に示すように、シンボル開始検出器５３は、自己相関器５２から出力される相関値が閾値Ａ以下となり同期加算器５１の出力値が最初にピークとなるときの時刻を、シンボルの開始タイミングとし、その旨の信号を出力する。
【０００９】
このシンボルタイミング推定装置５０は、上述したように、マッチドフィルタ４１の相関ピークを同期加算器５１で順次同期加算し平均化しているため、フェ−ジング、雑音、またはＡＧＣ回路などで生じる信号ひずみの影響によるシンボルの開始タイミングの検出ミスを抑えることができる。
【００１０】
また、マッチドフィルタ（相関演算器１０２）と、そのマッチドフィルタから出力される相関ピークを順次同期加算する同期加算器（遅延加減算回路１０４）と、その同期加算器の出力値がピークとなるときをシンボルの開始タイミングとするシンボル開始検出器（ピーク検出器１０７）とを備える構成のシンボルタイミング推定装置も考えられる。（例えば、特許文献１参照）
【非特許文献１】旦代智哉、佐藤一美、行方稔、ＩＥＥＥ８０２．１１ａ時間同期方式の検討、２００２年電気情報通信学会総合大会講演論文集（ＣＤ−ＲＯＭ全分冊）、電子情報通信学会、２００２年３月２７日、Ｂ−５−２５３（資料番号）
【特許文献１】特開２００３−１１０５２３号  （第３〜６頁  第１図）
【発明の開示】
【発明が解決しようとする課題】
【００１１】
しかしながら、シンボルの開始タイミング付近における自己相関器５２の算出値は緩やかにしか減衰しない。そのため、シンボル開始検出器５３における閾値の調整が難しいという問題や受信信号歪耐性が弱くなるという問題がある。
また、上記シンボルタイミング推定装置５０は、マッチドフィルタ４１やシンボル開始検出器５３の他に、自己相関器５２などを備えるため、その分回路規模や消費電力が大きくなるという問題もある。
【００１２】
また、例えば、特許文献１に示されるシンボルタイミング推定装置においても、マッチドフィルタ（相関検算器１０２）から出力される相関ピークを同期加算器（遅延加減算回路１０４）において同期加算していく際に最後の相関ピークを減算する構成としているため、シンボルの開始タイミング付近での同期加算器（遅延加減算回路１０４）の出力値が緩やかにしか減衰しない。そのため、シンボル開始検出器（ピーク検出器１０７）における閾値の調整が難しいという問題や受信信号歪耐性が弱くなるという問題がある。
【００１３】
そこで、本発明は、上記問題を考慮し、シンボル開始検出器における閾値の調整を容易にし、受信信号歪耐性を強くすると共に、回路規模や消費電力を抑えることが可能なシンボルタイミング推定装置を提供することを目的とする。
【課題を解決するための手段】
【００１４】
上記の課題を解決するために本発明では、以下のような構成を採用した。
すなわち、本発明のシンボルタイミング推定装置は、プリアンブル信号を用いてパケット通信におけるシンボルの開始タイミングを推定するシンボルタイミング推定装置であって、入力されるプリアンブル信号と既知のプリアンブル信号との相関値を出力するマッチドフィルタと、前記マッチドフィルタから出力される相関値を順次同期加算する同期加算器と、前記マッチドフィルタから出力される前記相関値と前記同期加算器で算出される値とを乗算する乗算器と、前記乗算器で算出される値のピーク値が所定値よりも小さくなるときを前記シンボルの開始タイミングとするシンボル開始検出器とを備え、前記同期加算器は、忘却係数を用いて過去の相関値に対する重みが小さくなるように同期加算することを特徴とする。
【００１５】
このように、忘却係数を用いる同期加算器によりマッチドフィルタの相関ピークのレベルを高くし、更に、マッチドフィルタから出力される相関値と同期加算器で算出される値とを乗算することによりシンボルの開始タイミング付近の乗算器の出力値を急峻に減衰させているので、プリアンブル信号受信時における乗算器の出力値のピーク値とシンボルの開始タイミング付近の乗算器の出力値のピーク値との差を大きくすることができる。これより、シンボル開始検出器における所定値（閾値）の調整を容易にすることができる。
【００１６】
また、マッチドフィルタの相関ピークのレベルを高くし、更に、シンボルの開始タイミング付近の乗算器の出力値を急峻に減衰させているので、たとえ、フェージング、雑音、またはＡＧＣ回路などの影響によりプリアンブル信号が歪んでも、シンボルの開始タイミングの検出ミスを少なくすることができる。これより、受信信号歪耐性を強くすることができる。
【００１７】
また、従来のシンボルタイミング推定装置に備えられる自己相関器をなくすことができるので、その分回路規模や消費電力を抑えることができる。
また、上記シンボルタイミング推定装置の同期加算器は、加算器と、前記加算器から出力される値を一定周期遅延させるレジスタと、前記レジスタで遅延された値に前記忘却係数を乗算する忘却係数乗算器とを備え、前記加算器が、前記マッチドフィルタから出力される相関値と前記忘却係数乗算器で算出される値とを加算するように構成してもよい。
【００１８】
また、本発明のシンボルタイミング推定装置は、プリアンブル信号を用いてパケット通信におけるシンボルの開始タイミングを推定するシンボルタイミング推定装置であって、入力されるプリアンブル信号と既知のプリアンブル信号との相関値を出力するマッチドフィルタと、前記マッチドフィルタから出力される相関値を順次同期加算する同期加算器と、前記マッチドフィルタから出力される前記相関値と前記同期加算器で算出される値とを乗算する乗算器と、前記乗算器で算出される値のピーク値が所定値よりも小さくなるときを前記シンボルの開始タイミングとするシンボル開始検出器とを備えることを特徴とする。
【００１９】
これより、同期加算器において、忘却係数を用いて同期加算させる構成、例えば、固定係数乗算器を省略することができるので、その分忘却係数を用いるシンボルタイミング推定装置に比べて、回路規模を小型化することができる。
また、本発明のシンボルタイミング推定装置は、プリアンブル信号を用いてパケット通信におけるシンボルの開始タイミングを推定するシンボルタイミング推定装置であって、入力されるプリアンブル信号と既知のプリアンブル信号との相関値を出力するマッチドフィルタと、前記マッチドフィルタから出力される相関値を順次同期加算する同期加算器と、前記マッチドフィルタから出力される前記相関値と前記同期加算器で算出される値とを乗算する乗算器と、前記乗算器で算出される値のピーク値が所定時間前のピーク値より小さくなるときを前記シンボルの開始タイミングとするシンボル開始検出器とを備え、前記同期加算器が、忘却係数を用いて過去の相関値に対する重みが小さくなるように同期加算するように構成してもよい。
【００２０】
また、本発明のシンボルタイミング推定装置は、プリアンブル信号を用いてパケット通信におけるシンボルの開始タイミングを推定するシンボルタイミング推定装置であって、入力されるプリアンブル信号と既知のプリアンブル信号との相関値を出力するマッチドフィルタと、前記マッチドフィルタから出力される相関値を順次同期加算する同期加算器と、前記マッチドフィルタから出力される前記相関値と前記同期加算器で算出される値とを乗算する乗算器と、前記乗算器で算出される値のピーク値が所定時間前のピーク値より小さくなるときを前記シンボルの開始タイミングとするシンボル開始検出器とを備えるように構成してもよい。
【発明の効果】
【００２１】
本発明によれば、マッチドフィルタの相関ピークのレベルを高くし、更に、シンボルの開始タイミング付近の乗算器の出力値を急峻に減衰させているので、プリアンブル信号受信中における乗算器の出力値のピーク値とシンボルの開始タイミング付近の乗算器の出力値のピーク値の差を大きくすることができる。これより、シンボル開始検出器における所定値（閾値）の調整を容易にすることができる。
【００２２】
また、マッチドフィルタの相関ピークのレベルを高くし、更に、シンボルの開始タイミング付近の乗算器の出力値を急峻に減衰させているので、たとえ、フェージング、雑音、またはＡＧＣ回路などの影響によりプリアンブル信号が歪んでも、シンボルの開始タイミングの検出ミスを少なくすることができる。これより、受信信号歪耐性を強くすることができる。
【００２３】
また、従来のシンボルタイミング推定装置に備えられていた自己相関器が不要となるため、その分回路規模や消費電力を抑えることができる。
【発明を実施するための最良の形態】
【００２４】
以下、本発明の実施形態を図面を用いて説明する。
図１（ａ）は、本発明の実施形態のシンボルタイミング推定装置を模式的に示す図である。なお、図５（ａ）と同一な構成には、同一の符号をつける。
図１（ａ）に示すように、シンボルタイミング推定装置１０は、マッチドフィルタ４１と、忘却係数を用いて過去の相関値に対する重みが小さくなるように、マッチドフィルタ４１から出力される相関値を順次同期加算する忘却係数付同期加算器１１(同期加算器)と、マッチドフィルタ４１で算出される相関値と忘却係数付同期加算器１１の出力値とを乗算する乗算器１２と、乗算器１２の出力値と閾値との比較結果に基づいてデータ（プリアンブル信号の後に続く画像、音声、または文書などのデータ）が開始されるタイミングを検出し、その旨のタイミング信号を出力するシンボル開始検出器１３とを備えて構成される。なお、シンボルタイミング推定装置１０は、例えば、無線ＬＡＮ、有線ＬＡＮ、携帯電話、または有線ＡＤＳＬなどの通信ネットワークに適用してもよい。
【００２５】
図１（ｂ）は、忘却係数付同期加算器１１の出力信号を、図１（ｃ）は、乗算器１２の出力信号を、図１（ｄ）は、シンボル開始検出器１３の出力信号を示す図である。なお、図１（ｂ）〜（ｄ）のそれぞれのグラフの横軸は時間を、縦軸は出力信号の振幅値を示す。
【００２６】
ここで、上記忘却係数付同期加算器１１における忘却係数を用いた同期加算の一例を示す。
例えば、マッチドフィルタ４１で算出される４つの相関ピーク（図４（ｂ）参照）の値をいずれも１とし、マッチドフィルタ４１で算出される相関ピーク間の相関値を０とし、プリアンブル以降の相関値を０．１とし、忘却係数を０．９とする場合を考える。なお、図１（ｂ）に示す６つのピーク値は左からＰ１、Ｐ２、・・・、Ｐ６とする。
【００２７】
これにより、図１（ｂ）に示す忘却係数付同期加算器１１で算出されるピーク値は、
Ｐ１＝    １＋０．９×０        ＝１
Ｐ２＝    １＋０．９×１        ＝１．９
Ｐ３＝    １＋０．９×１．９    ＝１＋０．９＋（０．９）2＝２．７１
Ｐ４＝    １＋０．９×２．７１  ＝１＋０．９＋（０．９）2＋（０．９）3＝３．４３９
Ｐ５＝    ０．１＋０．９×３．４３９  ＝０．１＋０．９＋（０．９）2＋（０．９）3＋（０．９）4＝３．１９５１
Ｐ６＝    ０．１＋０．９×３．１９５１＝０．１＋０．９＋（０．９）2＋（０．９）3＋（０．９）4＋（０．９）5＝２．９７５５９
となる。また、相関ピーク間の値は０と定義しているので図１（ｂ）のように相関波形は離散的な複数のインパルス波形となる。
【００２８】
次に、図１（ｃ）に示すように、上記乗算器１２は、マッチドフィルタ４１で算出される相関値と忘却係数付同期加算器１１の出力値とを乗算する。
例えば、マッチドフィルタ４１から出力される４つの相関ピークの値をいずれも１とし、マッチドフィルタ４１で算出される相関ピーク間の相関値を０とし、プリアンブル以降の相関値を０．１とし、忘却係数付同期加算１１で算出される６つのピーク値をそれぞれ１、１．９、２．７１、３．４３９、３．１９５１、２．９７５５９とする場合を考える。なお、図１（ｃ）に示す６つのピーク値をそれぞれ図１（ｃ）の左からＭ１、Ｍ２、・・・、Ｍ６とする。
【００２９】
これにより、図１（ｃ）に示す乗算器１２の６つのピーク値は、
Ｍ１＝１    ×１              ＝１
Ｍ２＝１    ×１．９          ＝１．９
Ｍ３＝１    ×２．７１        ＝２．７１
Ｍ４＝１    ×３．４３９      ＝３．４３９
Ｍ５＝０．１×３．１９５１    ＝０．３１９５１
Ｍ６＝０．１×２．９７５５９  ＝０．２９７５５９
となる。
【００３０】
そして、図１（ｄ）に示すように、シンボル開始検出器１３は、忘却係数付同期加算１１の出力値のピーク値が閾値Ｂ以下となる時刻を、シンボルの開始タイミングとし、その旨の信号を出力する。
このように、忘却係数付同期加算器１１によりマッチドフィルタ４１の相関ピークのレベルを高くし、更に、マッチドフィルタ４１の出力値と忘却係数付同期加算器１１の出力値とを乗算することによりシンボルの開始タイミング付近の乗算器１２の出力値を急峻に減衰させているので、プリアンブル信号受信中における乗算器１２の出力値のピーク値とシンボルの開始タイミング付近の乗算器１２の出力値のピーク値との差を大きくすることができる。これより、シンボル開始検出器１３における閾値の調整を容易にすることができる。
【００３１】
また、マッチドフィルタ４１の相関ピークのレベルを高くし、更に、シンボルの開始タイミング付近の乗算器１２の出力値を急峻に減衰させているので、たとえ、フェージング、雑音、またはＡＧＣ回路などの影響でプリアンブル信号が歪んでも、シンボルの開始タイミングの検出ミスを少なくすることができる。これより、受信信号歪耐性を強くすることができる。
【００３２】
また、上記シンボルタイミング推定装置１０は、忘却係数を用いてマッチドフィルタ４１の相関ピークを順次同期加算しているので、忘却係数を用いないでマッチドフィルタ４１の相関ピークを順次同期加算するよりも、シンボルの開始タイミング付近の乗算器１２の出力値のピーク値を小さくすることができる。これより、シンボルタイミング推定装置１０は、忘却係数を用いないシンボルタイミング推定装置に比べて、プリアンブル信号受信中における乗算器１２の出力値のピーク値とシンボルの開始タイミング付近の乗算器１２の出力値のピーク値との差を更に大きくすることができるので、受信信号歪耐性を更に向上することができる。
【００３３】
次に、図１（ａ）に示すシンボルタイミング推定装置１０と図５（ａ）に示す従来のシンボルタイミング推定装置５０との回路規模を比較する。なお、この回路規模の比較は、シンボルタイミング推定装置１０及び５０のそれぞれのマッチドフィルタ４１において、どちらも１６サンプル周期（０．８μｓ）で相関ピークが出力される場合を前提条件とする。
【００３４】
図２（ａ）は、図１（ａ）に示す忘却係数付同期加算器１１を構成する機能ブロックの一例を示す図である。
図２（ａ）に示すように、忘却係数付同期加算器１１は、加算器１１０と、１６個のレジスタで構成され、加算器１１０から出力される値を１６サンプル遅延させるレジスタ部１１１（レジスタ）と、レジスタ部１１１で遅延された値に固定係数（忘却係数）を乗算する固定係数乗算器１１２（忘却係数乗算器）とを備えて構成される。なお、例えば、忘却係数付同期加算器１１に備えられる固定係数乗算器１１２の固定係数は、０．９とする。
【００３５】
忘却係数付同期加算器１１は、マッチドフィルタ４１の出力値とレジスタ部１１１で１６サンプル遅延された値とを加算器１１０において加算するものであって、マッチドフィルタ４１の出力値とレジスタ部１１１で遅延された値とを加算する前に、固定係数乗算器１１２においてレジスタ部１１１で遅延された値と０．９とを乗算する。
【００３６】
また、図２（ｂ）は、図５（ａ）に示す同期加算器５１を構成する機能ブロックの一例を示す図である。なお、図２（ａ）と同一の構成には、同じ符号をつける。
図２（ｂ）に示すように、同期加算器５１は、加算器１１０と、レジスタ部１１１とを備えて構成される。
【００３７】
同期加算器５１は、マッチドフィルタ４１の出力値とレジスタ部１１１で１６サンプル遅延された値とを加算器１１０において加算する。
また、図２（ｃ）は、図５（ａ）に示す自己相関器５２を構成する機能ブロックの一例を示す図である。なお、図２（ａ）と同一の構成には、同じ符号をつける。
【００３８】
図２（ｃ）に示すように、自己相関器５２は、乗算器５２０と、レジスタ部１１１と、加算器１１０と、１個のレジスタで構成されるレジスタ部５２１と、固定係数乗算器５２２及び５２３とを備えて構成される。なお、例えば、加算器１１０とレジスタ部５２１との間に設けられる固定係数乗算器５２２の固定係数は、１５／１６とし、自己相関器５２の出力段に設けられる固定係数乗算器５２３の固定係数は、１／１６とする。
【００３９】
自己相関器５２は、マッチドフィルタ４１の出力値とマッチドフィルタ４１の出力値がレジスタ部１１１で１６サンプル遅延された値とを乗算器５２０において乗算し、その乗算した値とレジスタ部５２１で１サンプル遅延された値に固定係数乗算器５２２において１５／１６をかけた値とを加算器１１０において加算し、その加算した値に固定係数乗算器５２３において１／１６をかける。
【００４０】
図３（ａ）に示す表は、忘却係数付同期加算器１１、同期加算器５１、及び自己相関器５２のそれぞれの機能ブロック数を示す表である。
上述したように、忘却係数付加算器１１は、１６個のレジスタで構成されるレジスタ部１１１と、固定係数乗算器１１２と、加算器１１０とで構成される。これより、図３（ａ）の表に示すように、忘却係数付加算器１１を構成するレジスタ数は１６、乗算器数は１、加算器数は１となる。
【００４１】
また、同期加算器５１は、１６個のレジスタで構成されるレジスタ部１１１と、加算器１１０とで構成される。これより、図３（ａ）の表に示すように、同期加算器５１を構成するレジスタ数は１６、乗算器数は０、加算器数は１となる。
また、自己相関器５２は、１６個のレジスタで構成されるレジスタ部１１１と、１個のレジスタで構成されるレジスタ５２１と、乗算器５２０と、固定係数乗算器５２２と、固定係数乗算器５２３と、加算器１１０とで構成される。これより、図３（ａ）に示すように、自己相関器５２を構成するレジスタ数は１７、乗算器数は３、加算器数は１となる。
【００４２】
図３（ｂ）に示す表は、シンボルタイミング推定装置１０とシンボルタイミング推定装置５０との回路規模を比較するための表である。なお、この図３（ｂ）に示す比較表は、マッチドフィルタ４１などの共通部分を除いた比較を示す。
図３（ｂ）の表に示すように、シンボルタイミング推定装置１０を構成するレジスタ数は１６（レジスタ部１１１）、乗算器数は２（乗算器１２、固定係数乗算器１１２）、加算器数は１（加算器１１０）となる。一方、シンボルタイミング推定装置５０を構成するレジスタ数は３３（２個のレジスタ部１１１、レジスタ部５２１）、乗算器数は３（乗算器５２０、固定係数乗算器５２２、固定係数乗算器５２３）、加算器数は２（２個の加算器１１０）となる。
【００４３】
このように、シンボルタイミング推定装置１０は、レジスタ数と加算器数とがそれぞれシンボルタイミング推定装置５０と比較して半分以下の数で構成させることができ、更に、乗算器数もシンボルタイミング推定装置５０と比較して少ない数で構成することができる。これより、本実施形態のシンボルタイミング推定装置１０は、従来のシンボルタイミング推定装置５０と比較して大幅に回路規模や消費電力を小さくすることができる。
【００４４】
なお、本発明は、上記実施形態に限定されるものではなく、各請求項に記載した範囲において、種々の構成を採用可能である。例えば、以下のような構成変更も可能である。
上記実施形態のシンボルタイミング推定装置１０では、マッチドフィルタ４１の出力値と忘却係数付同期加算器１１の出力値とが乗算器１２で乗算され、シンボル開始検出器１３において、その乗算結果と閾値とが比較されてシンボルの開始タイミングを検出する構成であるが、忘却係数付同期加算器１１の代わりに忘却係数を用いない同期加算器を備えシンボルタイミング推定装置を構成してもよい。このように、忘却係数を用いないシンボルタイミング推定装置を構成しても、プリアンブル信号受信中における乗算器１２の出力値のレベルを高めると共に、シンボルの開始タイミング付近の乗算器１２の出力値を急峻に減衰させることができる。
【００４５】
また、この忘却係数を用いないシンボルタイミング推定装置は、上記シンボルタイミング推定装置１０における固定係数乗算器１１２を必要としないので、その分、シンボルタイミング推定装置１０に比べて、回路規模や消費電力を小さくすることができる。
【図面の簡単な説明】
【００４６】
【図１】本発明の実施形態のシンボルタイミング推定装置を模式的に示す図である。
【図２】忘却係数付同期加算器、同期加算器、及び自己相関器のそれぞれの機能ブロックの一例を示す図である。
【図３】本発明の実施形態のシンボルタイミング推定装置と従来のシンボルタイミング推定装置のとの回路規模の比較を示す図である。
【図４】既存のシンボルタイミング推定装置の一例を模式的に示す図である。
【図５】既存のシンボルタイミング推定装置の一例を模式的に示す図である。
【符号の説明】
【００４７】
１０      シンボルタイミング推定装置
１１      忘却係数付同期加算器
１２      乗算器
１３      シンボル開始検出器
４０      シンボルタイミング推定装置
４１      マッチドフィルタ
４２      シンボル開始検出器
５０      シンボルタイミング推定装置
５１      同期加算器
５２      自己相関器
５３      シンボル開始検出器
１１０    加算器
１１１    レジスタ部
１１２    固定係数乗算器
５２０    乗算器
５２１    レジスタ部
５２２、５２３    固定係数乗算器
【図１】
0003716846.tif 000002
【図２】
0003716846.tif 000003
【図３】
0003716846.tif 000004
【図４】
0003716846.tif 000005
【図５】
0003716846.tif 000006